(57)【要約】【課題】デジタルカメラのスピーカの径を大きくできるとともにバッフル効果を得ることができ、音質向上を実現したデジタルカメラを提供する。【解決手段】カメラ本体１２に設けられたレンズ鏡筒１４の前面部にレンズキャップ５０が着脱可能に取り付けられる。レンズキャップ５０にはスピーカ部が設けられている。再生モード時には液晶モニタ３６に表示される映像に応じた音声がスピーカ部５４から出力され、これを聞きながら画像を鑑賞できる。また、カメラ本体１２には内部スピーカ９６が搭載されており、レンズキャップ５０のスピーカ部（外部スピーカ）５４と内部スピーカ９６とを選択的に切り換えて使用できる。スピーカの切り換えはユーザの操作（手動）によって行ってもよいし、レンズキャップ５０の装着状態を検出して自動的に切り換えてもよい。【選択図】　　　図４
2004088717.tif 000002
【特許請求の範囲】
【請求項１】
カメラ本体に設けられたレンズ鏡筒を通して結像される被写体像を、画像信号として記録させるとともに、前記カメラ本体に備えられたマイクを通して集音される音声を、音声信号として記録させるデジタルカメラにおいて、
前記レンズ鏡筒前部に着脱可能に取り付けられるレンズキャップに、前記音声信号を音声に変換して出力可能なスピーカを備えたことを特徴とするデジタルカメラ。
【請求項２】
カメラ本体内の記録媒体に記録されたオーディオ信号を再生する音楽再生機能を有するデジタルカメラにおいて、
前記デジタルカメラのレンズ鏡筒前部に着脱可能に取り付けられるレンズキャップに、前記オーディオ信号を音楽に変換して出力可能なスピーカを備えたことを特徴とするデジタルカメラ。
【請求項３】
前記レンズキャップと前記カメラ本体とは、前記スピーカの音声出力用の出力配線にて連結されていることを特徴とする請求項１または請求項２に記載のデジタルカメラ。
【請求項４】
音声信号を音声に変換して出力するオーディオ再生手段を備えたデジタルカメラにおいて、
カメラ本体に設けられたレンズ鏡筒の前部に着脱可能に取り付けられるレンズキャップに第１のスピーカを備える一方、前記カメラ本体に第２のスピーカが内蔵されており、前記第１のスピーカ又は前記第２のスピーカの何れか一方のスピーカを選択的に使用するように音声出力用のスピーカを切り換えるスピーカ切換手段を具備していることを特徴とするデジタルカメラ。
【請求項５】
前記第１のスピーカを備えた前記レンズキャップが前記レンズ鏡筒に取り付けられているか否かを検出する取付検出手段と、
前記取付検出手段からの検出信号に基づいて前記スピーカ切換手段の切り換えを制御し、前記レンズ鏡筒に前記レンズキャップが取り付けられている場合に前記第１のスピーカを使用可能にする一方、前記レンズ鏡筒に前記レンズキャップが取り付けられていない場合には前記第２のスピーカを使用可能にする制御を行う制御手段と、
を備えたことを特徴とする請求項４に記載のデジタルカメラ。
【発明の詳細な説明】
【０００１】
【発明の属する技術分野】
本発明はデジタルカメラに係り、特に、音声などを出力可能なスピーカを備えたデジタルカメラに関する。
【０００２】
【従来の技術】
動画を記録するカメラ一体型ビデオにおいて、レンズキャップを半割状に構成し、それぞれのキャップ要素にマイク素子を配設するとともに、これらキャップ要素をレンズ鏡筒の先端部にラチェット構造の支持機構により任意の開閉角度で係止可能に取り付けるマイク構造が提案されている（特許文献１参照）。
【０００３】
また、従来のデジタルカメラにおいて、例えば動画などが再生可能なデジタルカメラにはスピーカが内蔵されており、当該スピーカからの音声を聞きながら液晶モニタに表示される映像を確認できる。
【０００４】
また、カメラ本体内の記録媒体に記録されたオーディオ信号を再生する音楽再生機能を備えたデジタルカメラも知られている。
【０００５】
ここで、一般的なスピーカの音質の良し悪しはスピーカの径と、そのスピーカが収納されるケーシングの奥行きにほぼ比例しており、例えば、スピーカの径が大きくなるほど音域の広い音質を望めるとともに、スピーカ後方に奥行き（隙間）を備えられれば、バッフル効果によって重低音が増した迫力ある音質が望める。
【０００６】
【特許文献１】
特開平６−２３３１６２号公報
【０００７】
【発明が解決しようとする課題】
しかし、小型なデジタルカメラに内蔵されるスピーカは、その大きさが制限されるために小型なものが用いられるのが一般的であり、従来からデジタルカメラに内蔵されたスピーカの音質は良好でないという欠点があった。
【０００８】
本発明は上記点を鑑みてなされたものであり、デジタルカメラのスピーカの径を大きくできるとともにバッフル効果を得ることができ、音質向上を実現したデジタルカメラを提供することを目的とする。
【０００９】
【課題を解決するための手段】
本発明は前記目的を達成するために、カメラ本体に設けられたレンズ鏡筒を通して結像される被写体像を、画像信号として記録させるとともに、前記カメラ本体に備えられたマイクを通して集音される音声を、音声信号として記録させるデジタルカメラにおいて、前記レンズ鏡筒前部に着脱可能に取り付けられるレンズキャップに、前記音声信号を音声に変換して出力可能なスピーカを備えたことを特徴とする。
【００１０】
本発明によれば、レンズ鏡筒前部に着脱可能に取り付けられてレンズを保護するレンズキャップにスピーカを備えることによって、スピーカ径を大きく得ることができるとともに、レンズ鏡筒を用いたバッフル効果を得て音質を向上できる。
【００１１】
また、請求項２に記載の発明によれば、カメラ本体内の記録媒体に記録されたオーディオ信号を再生する音楽再生機能を有するデジタルカメラにおいて、前記デジタルカメラのレンズ鏡筒前部に着脱可能に取り付けられるレンズキャップに、前記オーディオ信号を音楽に変換して出力可能なスピーカを備えたことを特徴とする。
【００１２】
請求項２に記載の発明によれば、カメラ本体内の記録媒体に記録されたオーディオ信号を再生する音楽再生機能を有するデジタルカメラにおいて、レンズを保護するレンズキャップにスピーカを備えているので、スピーカ径を大きく得ることができるとともに、レンズ鏡筒を用いたバッフル効果を得て、音質を向上できる。
【００１３】
また、請求項３に記載の発明によれば、このレンズキャップとカメラ本体とは、スピーカの音声出力用の出力配線にて連結されているので、レンズキャップの紛失を防止して、スピーカの出力配線を容易に構成できる。
【００１４】
請求項４に記載の発明は、音声信号を音声に変換して出力するオーディオ再生手段を備えたデジタルカメラにおいて、カメラ本体に設けられたレンズ鏡筒の前部に着脱可能に取り付けられるレンズキャップに第１のスピーカを備える一方、前記カメラ本体に第２のスピーカが内蔵されており、前記第１のスピーカ又は前記第２のスピーカの何れか一方のスピーカを選択的に使用するように音声出力用のスピーカを切り換えるスピーカ切換手段を具備していることを特徴とする。
【００１５】
すなわち、請求項４に係るデジタルカメラは、音声の出力経路として、レンズキャップに搭載された第１のスピーカと、カメラ本体に内蔵された第２のスピーカとを併有しており、これら複数のスピーカを必要に応じて手動又は自動により切り換えて使用することができる。例えば、通常はカメラ内蔵のスピーカ（第２のスピーカ）を使用して音声を出力するものとし、特に音響効果の要求される状況のときにはレンズキャップのスピーカ（第１のスピーカ）を使用する。
【００１６】
このようにスピーカ付きレンズキャップを用いる構成によって、必要に応じて高品質の音声出力が可能になると同時に、持ち運びにも便利である。
【００１７】
請求項４に係るデジタルカメラの一態様として、請求項５に示すように、前記第１のスピーカを備えた前記レンズキャップが前記レンズ鏡筒に取り付けられているか否かを検出する取付検出手段と、前記取付検出手段からの検出信号に基づいて前記スピーカ切換手段の切り換えを制御し、前記レンズ鏡筒に前記レンズキャップが取り付けられている場合に前記第１のスピーカを使用可能にする一方、前記レンズ鏡筒に前記レンズキャップが取り付けられていない場合には前記第２のスピーカを使用可能にする制御を行う制御手段と、を備える態様も好ましい。
【００１８】
かかる態様によれば、取付検出手段によってレンズキャップの装着状態を検出し、その検出信号に基づいて制御手段が音声信号の出力先（使用するスピーカ）を自動的に切り換えるようになっている。レンズキャップをレンズ鏡筒に装着し、レンズキャップのスピーカ（第１のスピーカ）を用いて音声を出力させる状態が整ったときに、音声信号の出力先が第１のスピーカに自動設定される。このような自動選択機能によってユーザの操作が簡略化される。
【００１９】
【発明の実施の形態】
以下、添付図面に従って本発明に係るデジタルカメラの好ましい実施の形態について詳説する。図１は、本発明の実施の形態に係るデジタルカメラ１０を示す斜視図である。
【００２０】
同図において、符号１２はカメラ本体を示し、以下、１４はレンズ鏡筒、１６はシャッターボタン、１７は撮影モード／再生モード、オーディオ再生モードを選択するためのモードダイヤル、１８はポップアップ式ストロボ、２０はファインダ、２２は内蔵式のマイクである。また、上述した各機器に加えてカメラ本体１２には、不図示のストロボ調光センサやセルフタイマーランプなどの機器が必要に応じて設けられている。
【００２１】
カメラ本体１２の正面には、略円筒状に形成されたレンズ鏡筒１４が設けられ、該レンズ鏡筒１４内には主光軸方向に対して垂直にレンズ１３が配置されている。レンズ鏡筒１４を構成する部材１４ａ、１４ｂは円筒カムによる直動手段にて係合され、不図示の駆動モータの回動操作によって主光軸方向に移動可能に構成されている。また、カメラ本体１２の内部で、レンズ１３の結像位置には不図示のＣＣＤが配設され、このＣＣＤによって被写体が撮像される。レンズ鏡筒１４が伸縮駆動することで、鏡筒内のレンズ間の距離を変化させ、これにより撮影光学系の焦点距離を可変してＣＣＤによって撮像される被写体の像倍率（ズーム）を変化調整可能としている。
【００２２】
マイク２２はカメラ本体１２の正面に設けられており、集音された音声信号をカメラ本体１２に内蔵されたＡ／Ｄ変換器（不図示）に出力し、音声データ（デジタルデータ）として圧縮・伸長回路（不図示）を介して不図示のスマートメディア（記録媒体）に出力できる。符号２４は、このスマートメディアをカメラ本体１２の内部に収納するためのメディアスロットのカバー（スロットカバー）である。
【００２３】
図２において、カメラ本体１２の背面には符号３０としてファインダ、符号３２として電源ボタン、符号３４として十字ボタン３５，３５…から構成されたカーソルスイッチ、符号３６として液晶モニタなどが設けられている。
【００２４】
電源ボタン３２はデジタルカメラ１０の電源オン／オフを操作するための操作部である。
【００２５】
カーソルスイッチ３４における十字ボタン３５，３５…は、左、右、上、下の四方向の指示を入力可能な多機能操作部であり、左キー及び右キーは、それぞれ再生モード時に１コマ逆送りボタン、１コマ順送りボタンなどとして機能し、上キー及び下キーは、撮影モード時の倍率調整用のズームキーとして用いられる。また、オーディオ再生モードにおいては、左キー及び右キーは、早送りボタン・巻き戻し停止ボタンとして、また、上キー及び下キーは再生ボタン・停止ボタンとして用いられる。
【００２６】
ステータス表示部４０は、カメラ本体１２の背面に設けられ、カーソルスイッチ３４に隣接するように配置されている。このステータス表示部４０は、カメラの状態や撮影モードなどに関する情報（いわば撮影ステータス）を表示するためのもので、例えば撮影可能コマ数（動画については撮影可能時間）や記録画質（クオリティー）表示、画素数表示、内蔵されているバッテリの残量チェック表示、ストロボ発光有無の表示などが行われる。
【００２７】
ステータス表示部４０の下方には液晶モニタ３６が設けられ、撮影する直前、もしくは撮影した画像／動画などが表示され、撮影時に画角確認用の電子ファインダとして使用できる。この液晶モニタ３６は、モニタベース３８を介してカメラ本体１２に取り付けられている。モニタベース３８は、カメラ本体１２側面に設けられたヒンジ３９，３９を介してカメラ本体１２に取り付けられており、ヒンジ３９，３９を支点としてモニタベース３８を、カメラ本体１２に対して開閉可動可能としている。これにより、モニタベース３８の開成時には、図１に示すように、液晶モニタ３６の表示面をカメラ本体１２の正面側に位置させることができ、たとえばセルフタイマー撮影時などではカメラ本体１２の正面から画角の確認も可能である。なお、液晶モニタ３６には撮影した画像／動画のプレビュー画や、スマートメディアから読み出した画像／動画を表示することもできる。また、各メニューにおける各種設定項目の内容を、液晶モニタ３６の表示画面を用いて表示できる。
【００２８】
この様な構成のデジタルカメラ１０によって、撮影者によりシャッターボタン１６を押圧操作することによって撮像が行なわれる。ＣＣＤによって撮像された被写体の光学像は、カメラ本体１２に内蔵された不図示の画像処理基板によって画像データ（デジタルデータ、または動画データでもよい）に変換され、得られた画像データは圧縮・伸長回路を介して圧縮されてメディアスロット内のスマートメディアに書き込まれて記録される。なお、シャッターボタン１６の押圧操作によって、画像データとともに、マイク２２にて集音された音声も音声データとして所定時間スマートメディアに記録される。
【００２９】
デジタルカメラ１０は、スマートメディアに記録されているＭＰ３フォーマットなどの音楽ファイルを再生するオーディオ再生機能を備えている。モードダイヤル１７をオーディオ再生モードとし、再生ボタン（十字ボタン３５からなる上キー）が押されると、圧縮・伸長回路を介してスマートメディアから音楽ファイルが読み出される。もちろんスマートメディアには、音楽ファイルがパソコンから直接ダウンロードされているものとする。また、デジタルカメラ１０にデジタル端子が設けられている場合には、このデジタル端子を介して音楽ファイルをダウンロード可能としてもよい。読み出された音楽ファイルは圧縮・伸長回路を介して音声データに伸長され、図示しないＤ／Ａ変換器によってアナログ信号に変換されてアンプ（不図示）にて増幅された後、後述する結い紐５８内部の出力配線に出力される。
【００３０】
このほかにも、カメラ本体１２の内部には、デジタルカメラ１０を総合的に制御する制御基板（図示しない）や、各機器に電力を供給させる充電バッテリ（図示しない）などが設けられている。さらに、カメラ本体１２には、不図示の機器として、音声／映像出力（Ａ／　Ｖ　ＯＵＴ）端子、デジタル（ＵＳＢ）端子、電源入力端子が夫々設けられ、デジタルカメラ１０以外の外部機器との通信や、デジタルカメラ１０内部の充電バッテリに電力を供給させて、充電バッテリへの充電が可能であるが、これら詳細な説明は省略する。
【００３１】
図１に示すようにレンズキャップ５０は、主としてキャップ５２とスピーカ部５４とから構成されている。
【００３２】
キャップ５２は、レンズ鏡筒のカメラ本体１２への収縮時（図１における破線）において、レンズ鏡筒１４の前面を被覆可能に形成されている。キャップ５２の内部には不図示のバヨネット機構が設けられるとともに、カメラ本体１２の正面には、レンズ鏡筒１４の円周に沿うようにレンズマウント部１５が形成されている。バヨネット機構と、このレンズマウント部１５とが係合されることで、レンズキャップ５０がカメラ本体１２（レンズ鏡筒１４）に着脱可能に取り付けられる。なお、バヨネット機構の係合を解除するための解除ボタン５６，５６がレンズキャップ５０の淵部に設けられており、これら解除ボタン５６，５６を押圧することで、レンズキャップ５０をカメラ本体１２から取り外すことができる。
【００３３】
スピーカ部５４は図３に示すように、キャップ５２の中央に配置されている。スピーカ部５４の音源部分、すなわち振動板５５は断面円形で、カメラ本体１２の前方向に向かって末広がりのコーン形状で構成されている。振動板５５の背面側（カメラ本体１２側）には磁石６０が取り付けられ、磁石６０のまわりにはコイル（不図示）が配設されている。なお、振動板５５の形状はコーン形状に限ることなく円板状に形成されていてもよい。また、同図に示す符号５７は、振動板５５を外部から保護するための保護網である。
【００３４】
レンズキャップ５０は、結い紐５８によってカメラ本体１２と連結されている。この結い紐５８は、同図に示すようにレンズキャップ５０の側面から突出するように設けられ、カメラ本体１２の側面に連結されており、レンズキャップ５０が紛失などすることを防止している。ここで、この結い紐５８には、その内部にスピーカの出力のための不図示の出力配線を有しており、この出力配線のうちの一方の端部が、カメラ本体１２の内部でアンプに回路接続されるとともに、他方の端部が磁石６０のまわりに配設されたコイルに回路接続されている。
【００３５】
なお、レンズ鏡筒１４の収納時には、同図に示すように、レンズ鏡筒１４の部材１４ａの正面位置に対して部材１４ｂの正面位置がカメラ本体１２の内側方向に奥まって収納され、これにより、レンズ鏡筒１４へレンズキャップを取り付けた際に、スピーカ部５４の後方（すなわち振動板５５まわり）に所定の隙間を得ることが可能となる。
【００３６】
次に、上記の如く構成されたデジタルカメラ１０の作用について説明する。
【００３７】
図２に示す電源ボタン３２を押圧して、デジタルカメラ１０の電源をオンとした後、モードダイヤル１７を操作して、露出とフォーカスが自動的に制御された撮影を行うための撮影モード、撮影した画像／動画を液晶モニタ３６によって再生する再生モードのいずれかを選択する。
【００３８】
モードダイヤル１７によって撮影モードが選択されているときには、撮影者によって、シャッターボタン１６を押圧することで被写体がＣＣＤにて撮像される。この際に、液晶モニタ３６にはスルー画が表示され、撮影者は液晶モニタ３６を見ながら撮影を行うことができる。撮影に伴い、制御基板によってフォーカシング（ピント合わせ）や露出制御が行われ、ＣＣＤにて撮像された被写体の光学像が画像データに変換され、得られた画像データはメディアスロット内のスマートメディアに書き込まれて記録される。また、カーソルスイッチ３４における十字ボタン３５，３５…の上キー及び下キーを押圧操作すれば、レンズ鏡筒を主光軸方向に移動でき、倍率を変化させてズーム撮影を行うことも可能である。なお、この際に得られた画像データは制御基板のメモリに記録される構成としてもよい。また、シャッターボタン１６を押圧することで、マイク２２（図１参照）によって集音された音声が、前記画像データとともに音声データとして記録される。
【００３９】
モードダイヤル１７によって再生モードが選択されているときには、圧縮・伸長回路を介してスマートメディアから画像データが読み出され、液晶モニタ３６に撮影した画像／動画が表示される。この際に、画像／動画に伴って音声データが記録されている場合には、画像／動画に応じた音声データがスマートメディアから読み出されて圧縮・伸長回路を介して伸長され、Ｄ／Ａ変換機によって音声信号に変換され、アンプによって増幅された後、結い紐５８の出力配線を介してコイルまで出力される。コイルに音声信号が流れると磁石６０が振動し、それに伴い磁石６０に結合されている振動板５５が振動する。これによってスピーカ部５４からは音声が出力される。
【００４０】
したがって、スピーカ部５４から出力された音声を聞きながら、液晶モニタ３６に表示される映像を確認できる。なお、モニタベース３８はカメラ本体１２に対して開閉可動するように設けられているので、図１に示すように、液晶モニタ３６の表示面をカメラ本体１２の正面側に位置させれば、撮影者がカメラ本体１２の前方から液晶モニタ３６の表示面を確認でき、スピーカ部５４による音声とともに臨場感のある画像／動画の再生が可能となる。
【００４１】
また、モードダイヤル１７をオーディオ再生モードとし、再生ボタン（十字ボタン３５からなる上キー）が押されると、圧縮・伸長回路を介してスマートメディアから音楽ファイルが読み出される。読み出された音楽ファイルは圧縮・伸長回路を介して音声データに伸長され、Ｄ／Ａ変換器によって音声信号に変換されてアンプにて増幅された後、結い紐５８内部の出力配線を介してコイルに出力される。コイルに音声信号が流れると磁石６０が振動し、それに伴い磁石６０に結合されている振動板５５が振動する。これによってスピーカ部５４からは音（音楽）が出力される。ここで、従来までのデジタルカメラに内蔵されたスピーカと比較すると、レンズキャップ５０にスピーカ部５４を備えることによってスピーカ部５４の径を大きく得ることができ、これにより音域の広い音質を得ることが可能である。また、図３に示すように、レンズ鏡筒１４の部材１４ａに対して、部材１４ｂがカメラ本体１２の内側方向に奥まって収納されていることから、レンズ鏡筒１４へのレンズキャップ取り付け時には、スピーカ部５４の後方に所定の隙間を得ることが可能となり、これにより得られるバッフル効果によって重低音が増した迫力ある音質が望める。
【００４２】
このように、本発明の実施の形態にかかるデジタルカメラ１０によれば、レンズ鏡筒１４の前部に着脱可能に取り付けられているレンズキャップ５０にスピーカ部５４を備えることによって、スピーカ部５４の径を大きく得ることができるとともに、レンズ鏡筒１４を用いてバッフル効果を得て、音質を向上できる。
【００４３】
また、カメラ本体１２内の記録媒体に記録されたオーディオ信号を再生する音楽再生機能を有するデジタルカメラにおいても、レンズ１３を保護するレンズキャップ５０にスピーカを備えているので、スピーカ径を大きく得ることができるとともに、レンズ鏡筒１４を用いたバッフル効果を得て、音質を向上できる。
【００４４】
さらに、レンズキャップ５０とカメラ本体１２とは、レンズキャップ５０の紛失防止用の結い紐５８にて連結されており、この結い紐５８には、スピーカ部５４の音声出力用の出力配線が備えられているので、レンズキャップ５０とカメラ本体１２とを出力配線にて連結させて、レンズキャップ５０の紛失を防止できる。また、結い紐５８に加えて、別途、新たな出力配線を要せず、これによりスピーカ部５４の出力配線を容易に構成できる
なお、前述した実施の形態に示したデジタルカメラ１０の構成は、前記実施の形態に限定されるものではない。
【００４５】
例えば、図３に示すように、レンズキャップ５０の背面にスピーカ出力用の回路を構成するスピーカ用雄接点９０，９０…を設けるとともに、カメラ本体１２のレンズ鏡筒１４（部材１４ａ）の前面側で、スピーカ用雄接点９０，９０…に対向する位置にスピーカ用雌接点９１，９１…を設ければ、結い紐５８内部に設けられている出力配線を省略できる。
【００４６】
また、本実施の形態においては、レンズ交換を要しないデジタルカメラ１０を例として用いて説明したが、これに限らず、レンズ交換が可能なレフレックスデジタルカメラ（一眼レフデジタルカメラ）やコンパクトカメラなどにも本発明を適用できる。
【００４７】
次に、本発明の他の実施形態について説明する。
【００４８】
図４は、本発明の他の実施形態に係るデジタルカメラ１０の斜視図である。図４中図１に示した例と共通する部分には同一の符号を付し、その説明は省略する。
【００４９】
図４に示したデジタルカメラ１０は、カメラ本体１２にスピーカ９６が設けられており、この内蔵式のスピーカ（以下、内部スピーカという。）９６とレンズキャップ５０のスピーカ部（以下、外部スピーカという。）５４とを選択的に使用できるように構成されている。図４ではカメラ本体１２の前面部に内部スピーカ９６を配設した例を示したが、内部スピーカ９６の形成場所は同図の例に限定されず、カメラ側面部或いは背面部など他の部位であってもよい。
【００５０】
図５は、デジタルカメラ１０の内部構成を示したブロック図である。同図において、中央処理装置（ＣＰＵ）１００は、本カメラシステムを統括制御する制御部として機能するとともに、ＡＥ演算及びＡＦ演算その他の各種演算を行う演算部として機能する。
【００５１】
バス１０２を介してＣＰＵ１００と接続されたＲＯＭ１０４には、ＣＰＵ１００が実行するプログラム及び制御に必要な各種データ等が格納されている。また、メモリ（ＲＡＭ）１０６は、プログラムの展開領域及びＣＰＵ１００の演算作業用領域として利用されるとともに、画像データや音声データの一時記憶領域として利用される。なお、不揮発性記憶手段であるＲＯＭ１０４は書き換え不能なものであってもよいし、ＥＥＰＲＯＭのように書き換え可能なものでもよい。
【００５２】
デジタルカメラ１０の操作部１０８は、前述したシャッターボタン１６、モードダイヤル１７、電源ボタン３２、十字ボタン３５の他、メニュー／ＯＫボタン１０９、キャンセルボタン１１０などの入力操作手段を含むブロックである。
【００５３】
メニュー／ＯＫボタン１０９は、液晶モニタ３６の画面上に操作メニューを表示させる指令を行うためのメニューボタンとしての機能と、選択内容の確定及び実行などを指令するＯＫボタンとしての機能とを兼備した操作キーである。十字ボタン３５はメニュー画面から項目を選択したり、各メニューから各種設定項目の選択を指示するボタン（カーソル移動操作手段）として機能する。キャンセルボタンは、選択項目など所望の対象の消去や指示内容の取消し、或いは１つ前の操作状態に戻らせる時などに使用される。
【００５４】
操作部１０８からの信号はＣＰＵ１００に入力され、ＣＰＵ１００は入力信号に基づいてデジタルカメラ１０の各回路を制御し、例えば、レンズ駆動制御、撮影動作制御、画像処理制御、画像データの記録／再生制御、液晶モニタ３６の表示制御などを行う。
【００５５】
また、デジタルカメラ１０は、音声出力端子を含むリモコン端子１１２を有し、該リモコン端子１１２に不図示のヘッドホン付きリモコン装置を接続することができる。リモコン装置は、オーディオの再生／停止ボタン、送り／戻しボタン、音量調整ボタンなどのスイッチ部とＬＣＤパネルとを備えている。リモコン装置のスイッチ部が操作されると、操作に応じた指令信号がデジタルカメラ１０のＣＰＵ１００に送られ、指示に対応する処理が行われる。、
デジタルカメラ１０の電源は、バッテリ１１４又は不図示の電源入力端子に接続されるＡＣパワーアダプター等の外部電源を用いることができる。バッテリ１１４等から供給される電力は、ＤＣ／ＤＣコンバータを含む電源回路１１５によって所要の電圧に変換されて各回路ブロックに供給される。
【００５６】
デジタルカメラ１０には、外部スピーカ５４を含むレンズキャップ５０の取付状態を検出する取付検出センサ１１７が設けられており、該取付検出センサ１１７の検出信号はＣＰＵ１００に送られる。ＣＰＵ１００は取付検出センサ１１７から受入する検出信号に応じて切換回路１１８を制御し、音声出力に使用するスピーカを外部スピーカ５４又は内部スピーカ９６の何れか一方に自動選択する処理を行う。
【００５７】
次に、デジタルカメラ１０の撮影機能について説明する。
【００５８】
モードダイヤル１７によって撮影モードが選択されると、ＣＣＤ１２０を含む撮像部に電源が供給され、撮影可能な状態になる。レンズ１３はＣＰＵ１００によって制御されるモータドライバ１２２を介してモータ１２３によって電動駆動され、ズーム動作及びフォーカス調整動作が行われる。
【００５９】
レンズ１３を通過した光は、図示せぬ絞りによって光量が調節された後、ＣＣＤ１２０に入射する。ＣＣＤ１２０の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。
【００６０】
また、ＣＣＤ１２０は、各フォトダイオードの電荷蓄積時間（シャッタースピード）を制御する電子シャッター機能を有している。ＣＰＵ１００は、不図示のタイミングジェネレータを介してＣＣＤ１２０での電荷蓄積時間を制御する。なお、ＣＣＤ１２０に代えてＭＯＳ型など他の方式の撮像素子を用いてもよい。
【００６１】
ＣＣＤ１２０の受光面に結像された被写体像は、各フォトダイオードによって入射光量に応じた量の信号電荷に変換される。各フォトダイオードに蓄積された信号電荷は、ＣＰＵ１００の指令に従いタイミングジェネレータから与えられる駆動パルスに基づいて信号電荷に応じた電圧信号（画像信号）として順次読み出される。
【００６２】
ＣＣＤ１２０から出力された画像信号は、アナログ処理部１２４に送られる。アナログ処理部１２４は、相関二重サンプリング（ＣＤＳ）回路及びアンプを含む。アナログ処理部１２４に入力された画像信号は、ここで各画素ごとのＲ、Ｇ、Ｂ信号がサンプリングホールドされるとともに増幅され、Ａ／Ｄ変換器１２５に送られる。Ａ／Ｄ変換器１２５は、アナログ処理部１２４から順次加えられるＲ、Ｇ、Ｂ信号をデジタル信号に変換して画像信号処理回路１２６に出力する。
【００６３】
画像信号処理回路１２６は、同時化回路（単板ＣＣＤのカラーフィルタ配列に伴う色信号の空間的なズレを補間して色信号を同時式に変換する処理回路）、輝度・色差信号生成回路、ガンマ補正回路、輪郭補正回路、ホワイトバランス補正回路等を含む画像処理手段として機能し、ＣＰＵ１００からのコマンドに従ってメモリ１０６を活用しながら所定の信号処理を行う。
【００６４】
画像信号処理回路１２６に入力されたＲＧＢの画像データは、画像信号処理回路１２６において輝度信号（Ｙ信号）及び色差信号（Ｃｒ，Ｃｂ　信号）に変換されるとともに、ガンマ補正等の所定の処理が施される。画像信号処理回路１２６で処理された画像データはメモリ１０６に格納される。
【００６５】
撮影画像をモニタ出力する場合、メモリ１０６から画像データが読み出され、このデータがバス１０２を介して画像再生処理回路１２７に転送される。
【００６６】
画像再生処理回路１２７に送られたデータは、当該画像再生処理回路１２７及びビデオエンコード回路１２８を介して表示用の所定方式の信号（例えば、ＮＴＳＣ方式のカラー複合映像信号）に変換された後、液晶モニタ３６及び音声／映像出力端子１３０に出力される。ＣＣＤ１２０から出力される画像信号によってメモリ１０６内の画像データが定期的に書き換えられ、その画像データから生成される映像信号が液晶モニタ３６に供給されることにより、撮像中の映像がリアルタイムに液晶モニタ３６に表示される。撮影者は、液晶モニタ３６に表示される映像（スルームービー画）によって撮影画角を確認できる。
【００６７】
シャッターボタン１６は、半押し時にＯＮするＳ１　スイッチと、全押し時にＯＮするＳ２　スイッチとを有する二段ストローク式のスイッチで構成されている。
【００６８】
ＣＰＵ１００は、シャッターボタン１６の半押し（Ｓ１　＝ＯＮ）に応動して自動焦点調節（ＡＦ）制御及び自動露出（ＡＥ）制御を行い、シャッターボタン１６の全押し（Ｓ２＝ＯＮ）を検知すると、記録用の画像データの取り込み（本撮影）を開始する。
【００６９】
すなわち、ＣＰＵ１００はＳ１　＝ＯＮに応動してＣＣＤ１２０から得られた画像データに基づいて焦点評価演算やＡＥ演算などの各種演算を行い、その演算結果に基づいてモータドライバ１２２を制御し、モータ１２３を駆動してレンズ１３を合焦位置に移動させる一方、図示せぬアイリス駆動部を制御して絞りを適正絞り値に設定するとともにＣＣＤ１２０の電荷蓄積時間を制御する。
【００７０】
シャッターボタン１６の全押しに応動して取り込まれた画像データは、画像信号処理回路１２６において輝度／色差信号（Ｙ／Ｃ信号）に変換され、ガンマ補正等の所定の処理が施された後、メモリ１０６に格納される。
【００７１】
メモリ１０６に格納されたＹ／Ｃ信号は、圧縮伸長処理回路１３２によって所定のフォーマットに従って圧縮された後、メディアコントロール回路１３３を介してメモリカード１３４に記録される。例えば、静止画についてはＪＰＥＧ（Ｊｏｉｎｔ　Ｐｈｏｔｏｇｒａｐｈｉｃ　Ｅｘｐｅｒｔｓ　Ｇｒｏｕｐ）形式、動画についてはモーションＪＰＥＧ形式で記録される。圧縮形式はこの例に限定されず、ＭＰＥＧその他の形式を用いてもよい。
【００７２】
本例のデジタルカメラ１０では、画像データを保存する手段として、スマートメディア（商標）と呼ばれるメモリカードを使用するが、記録メディアの形態はこれに限定されず、ＰＣカード、コンパクトフラッシュ、磁気ディスク、光ディスク、光磁気ディスク、メモリスティック、磁気テープなどでもよく、電子的、磁気的、若しくは光学的、又はこれらの組み合わせによる方式に従って読み書き可能な種々の媒体を用いることができる。使用される記録メディアに応じた信号処理手段とインターフェースが適用される。異種、同種の記録メディアを問わず、複数の媒体を装着可能な構成にしてもよい。リムーバブルメディアに限らず、デジタルカメラ１０に内蔵された記録媒体（内部メモリ）であってもよい。
【００７３】
シャッターボタン１６は、静止画の記録開始の指示を与える手段であるとともに、動画の録画ボタン（録画スタート／ストップボタン）及びボイスレコーダモード下での録音ボタン（録音スタート／ストップボタン）として兼用される。
【００７４】
デジタルカメラ１０が動画モードに設定されると、音声付きの動画記録が可能となる。シャッターボタン１６の押下（Ｓ２　＝ＯＮ）によって録画動作がスタートし、もう一度シャッターボタン１６を押下（Ｓ１　＝ＯＮ）すると録画動作が停止する。シャッターボタン１６を押下継続している期間、録画動作を行い、押下解除により録画を停止するようにしてもよい。
【００７５】
動画撮影時の音声はマイク２２によって検出され、その検出信号（音声信号）は、アンプ１３６によって増幅された後、音声処理回路１３８に送られる。音声処理回路１３８はバス１０２に接続されており、ＣＰＵ１００の指令に従いメモリ１０６を利用しながら音声データを所定の信号形式に変換する。こうして生成された音声データは、メモリ１０６に記憶され、画像データとともに圧縮伸長処理回路１３２で圧縮された後、メモリカード１３４に記録される。
【００７６】
デジタルカメラ１０がボイスレコーダモードに設定されると音声記録が可能となる。シャッターボタン１６の全押し（Ｓ２　＝ＯＮ）で録音を開始し、その後シャッターボタン１６の半押し（Ｓ１　＝ＯＮ）で録音を停止する。これにより、シャッターボタン１６の操作音が記録されないようになっている。
【００７７】
マイク２２を介して入力された音声情報は、アンプ１３６を介して音声処理回路１３８に入力される。音声処理回路９０は、入力した音声信号をデジタル信号に変換するとともに、所定のファイル形式（例えば、ＷＡＶＥ形式）　に変換する。こうして得られた音声データは、メディアコントロール回路１３３を介してメモリカード１３４に記録される。
【００７８】
モードダイヤル１７によって再生モードが選択されると、メモリカード１３４に記録されている最終コマのファイルがメディアコントロール回路１３３を介して読み出される。最終コマのファイルが静止画ファイルの場合、この読み出された画像ファイルの圧縮データは、圧縮伸長処理回路１３２を介して非圧縮のＹＣ信号に伸長される。
【００７９】
伸長されたＹＣ信号は、画像再生処理回路１２７及びビデオエンコード回路１２８を介して表示用の信号に変換され、液晶モニタ３６に出力されるとともに、音声／映像出力端子１３０に出力される。これにより、液晶モニタ３６にはメモリカード１３４内に保存されている最終コマの画像が表示され、また、音声／映像出力端子１３０にテレビ受像機（不図示）等の表示装置が接続されている場合には、その表示装置に最終コマの画像が表示される。
【００８０】
その後、十字ボタン３５の右キーが押されると、順方向にコマ送りされ、左キーが押されると、逆方向にコマ送りされる。そして、コマ送りされたコマ位置の画像ファイルがメモリカード１３４から読み出され、上記と同様にして画像が液晶モニタ３６に再生表示される。
【００８１】
再生対象ファイルが動画ファイルの場合には、動画の先頭コマが代表画像として表示され、動画再生開始の指示を受け付ける画面になる。また、再生対象ファイルが音声ファイル（ボイスレコーダモードで録音した音声ファイル）の場合には、液晶モニタ３６上に音声ファイルであることを示す所定の図像（例えば、マイクの図柄がデザインされたビットマップ背景絵）が表示され、音声再生開始の指示を受け付ける画面になる。音声再生開始の指示を入力すると、メモリカード１３４から音声ファイルが読み出され、音声処理回路１３８により音声信号に変換される。音声処理回路１３８で生成された音声信号は、アンプ１４０を介して増幅され、切換回路１１８を経由して外部スピーカ５４又は内部スピーカ９６に送られる。こうして、切換回路１１８で選択されている外部スピーカ５４又は内部スピーカ９６から音声として出力される。
【００８２】
また、リモコン端子１１２に不図示のヘッドホン付きリモコン装置が接続されている場合においては、音声処理回路１３８で生成された音声信号はリモコン端子１１２を介してヘッドホン付きリモコン装置に送られ、ヘッドホンから音声として出力される。
【００８３】
デジタルカメラ１０のオーディオ再生機能は、メモリカード１３４に記録されているＭＰ３（ＭＰＥＧ−１　Ａｕｄｉｏ　Ｌａｙｅｒ−ＩＩＩ）フォーマットなどの音楽ファイルを再生する機能である。音楽ファイルは、パソコンや音楽配信端末等から直接、又はＵＳＢコネクタ１３７を介してメモリカード１３４内にダウンロードされているものとする。
【００８４】
モードダイヤル１７によってオーディオモードが選択されると、オーディオ再生が可能となる。デジタルカメラ１０がオーディオモードに設定された状態でリモコン装置などから再生の指示が入力されると、メディアコントロール回路１３３を介してメモリカード１３４から音楽ファイルが読み出される。
【００８５】
メモリカード１３４から読み出された音楽ファイルの圧縮データは、圧縮伸長処理回路１３２を介して非圧縮の音楽データに伸張される。この伸長された音楽データは、音声処理回路１３８において音声信号に変換される。音声処理回路１３８で生成された音声信号はアンプ１４０によって増幅された後、切換回路１１８を介して内部スピーカ９６又は外部スピーカ５４に送られる。こうして、音楽ファイルが再生され、音声として出力される。
【００８６】
また、リモコン端子１１２にヘッドホン付きリモコン装置（不図示）が接続されている場合には、音声処理回路１３８で生成された音声信号はリモコン端子１１２を介してヘッドホンに送られ、ヘッドホンから音声が出力される。
【００８７】
なお、音声処理回路１３８における処理内容（ボイスレコーダモードの録音／再生処理、音楽ファイルの再生処理など）は、ＣＰＵ１００からの切換信号に従って切り換えられる。
【００８８】
次に、デジタルカメラ１０の通信インターフェースについて説明する。このデジタルカメラ１０は、パソコン（ＰＣ）その他の外部機器との間でデータの送受信を行うための手段として、ＵＳＢコントローラ１３９及びＵＳＢコネクタ１３７を有している。図示せぬＵＳＢケーブルを用いてデジタルカメラ１０とパソコン等を接続することにより、両者間でデータの受け渡しが可能になる。なお、通信手段はＵＳＢ方式に限定されず、ＩＥＥＥ１３９４やＢｌｕｅｔｏｏｔｈ　など有線、無線を問わず様々な通信インターフェースを適用できる。
【００８９】
図６は図５で説明したデジタルカメラ１０の要部構成を示すブロック図である。図６に示したように、外部スピーカ５４と内部スピーカ９６とはそれぞれ切換回路１１８の出力端子１１８Ａ、１１８Ｂに接続されている。切換回路１１８の入力端子１１８Ｃには音声処理回路で生成された音声信号を増幅するアンプの出力線が接続されており、ＣＰＵ１００からの制御信号に従って切換回路１１８の可動接片１１８Ｄの接続先が切り換えられる。
【００９０】
外部スピーカ５４の取付状態を検出する取付検出センサ１１７の検出信号がＣＰＵ１００に入力され、この検出信号に応じてＣＰＵ１００は切換回路１１８を制御する。
【００９１】
図７にスピーカの自動選択処理のフローチャートを示す。同図に示すように、ＣＰＵ１００はまずモード判定を行い、デジタルカメラ１０が再生モードに設定されているか否かを判断する（ステップＳ２１０）。ステップＳ２１０において再生モードに設定されている場合には、ステップＳ２１２に進み、外部スピーカ５４の検出を行う。ＣＰＵ１００は取付検出センサ１１７からの検出信号に基づいて、外部スピーカ５４の装着の有無を判断する。
【００９２】
ステップＳ２１２において、カメラ本体１２に外部スピーカ５４が装着されていると判定された場合には、音声出力先として外部スピーカ５４を使用するように切換回路１１８の可動接片１１８Ｄを外部スピーカ５４側（図６の出力端子１１８Ａ）に切り換える制御信号を出力する（図７のステップＳ２１４）。これにより、外部スピーカ５４から音声が出力される状態にセットされる。
【００９３】
その一方、ステップＳ２１０で再生モード以外のモードに設定されている場合には、音声出力先として内部スピーカ９６を使用するように切換回路１１８の可動接片１１８Ｄを内部スピーカ９６側（図６の出力端子１１８Ｂ）に切り換える制御信号を出力する（図７のステップＳ２１６）。これにより、内部スピーカ９６から音声が出力される状態にセットされる。
【００９４】
また、ステップＳ２１２において外部スピーカ５４の装着が検出されていない場合にもステップＳ２１６に進み、内部スピーカ９６を使用する状態になる。
【００９５】
このように、音響効果のある外部スピーカ５４は、通常のカメラ使用時においては不要のため、通常は内部スピーカを使用して音声が再生される構成となっている。そして、特にユーザが外部スピーカ５４を用いて音声を聴こうとする状態が備わったときに、外部スピーカ５４から音声を出力するように使用スピーカを自動的に切り換えるように構成されている。
【００９６】
したがって、ユーザはスピーカ付きのレンズキャップを使用することにより、音響効果が得られると同時に持ち運びの利便性も得られる。
【００９７】
図７では音声出力に使用するスピーカを自動的に切り換える例を説明したが、スピーカ切換用の操作スイッチ、或いはメニュー画面において使用スピーカを選択させるユーザインターフェースを利用するなどの操作手段を設けてユーザが手動でスピーカを選択できる構成にすることも可能である。
【００９８】
【発明の効果】
以上、説明したように本発明に係るデジタルカメラによれば、レンズ鏡筒前部に着脱可能に取り付けられてレンズを保護するレンズキャップにスピーカを備えることによって、スピーカ径を大きく得ることができるとともに、レンズ鏡筒を用いてバッフル効果を得て、音質を向上できる。
【００９９】
また、カメラ本体内の記録媒体に記録されたオーディオ信号を再生する音楽再生機能を有するデジタルカメラにおいて、レンズを保護するレンズキャップにスピーカを備えているので、スピーカ径を大きく得ることができるとともに、レンズ鏡筒を用いたバッフル効果を得て、音質を向上できる。
【０１００】
さらに、レンズキャップとカメラ本体とは、スピーカの音声出力用の出力配線にて連結されているので、レンズキャップの紛失を防止して、スピーカの出力配線を容易に構成できる。
【０１０１】
また、本発明によれば、レンズキャップに搭載した第１のスピーカと、カメラ本体に内蔵した第２のスピーカとを選択的に切り換えて使用できる構成にしたので、用途に応じて高音質の音声再生が可能であると同時に持ち運びにも利便である。
【図面の簡単な説明】
【図１】本発明の実施の形態に係るデジタルカメラの概観を示す斜視図
【図２】本発明の実施の形態に係るデジタルカメラの概観の背面を示す斜視図
【図３】本発明の実施の形態に係るデジタルカメラのレンズキャップの詳細を示す斜視図
【図４】本発明の他の実施形態に係るデジタルカメラの斜視図
【図５】図４に示したデジタルカメラの内部構成を示したブロック図
【図６】図５で説明したデジタルカメラの要部構成を示すブロック図
【図７】スピーカの自動選択処理の手順を示すフローチャート
【符号の説明】
１０…デジタルカメラ、１２…カメラ本体、１４…レンズ鏡筒、２２…マイク、５０…レンズキャップ、５４…スピーカ部（外部スピーカ）、５８…結い紐（出力配線）、９６…スピーカ（内部スピーカ）、１００…ＣＰＵ、１１７…取付検出センサ、１１８…切換回路
【図１】
2004088717.tif 000003
【図２】
2004088717.tif 000004
【図３】
2004088717.tif 000005
【図４】
2004088717.tif 000006
【図５】
2004088717.tif 000007
【図６】
2004088717.tif 000008
【図７】
2004088717.tif 000009